【手続補正書】
【提出日】平成17年12月5日(2005.12.5)
【手続補正１】
【補正対象書類名】特許請求の範囲
【補正対象項目名】全文
【補正方法】変更
【補正の内容】
【特許請求の範囲】
【請求項１】
ガソリン成分、留出燃料成分または潤滑油ベース原料成分の少なくとも一つを生産するためにフィッシャー・トロプシュナフサおよびフィッシャー・トロプシュ留出物の少なくとも一つをアップグレード化する方法であって、
（ａ）フィッシャー・トロプシュナフサを場合によって、水素化精製してオキシゲネートを除去して水素化精製済みフィッシャー・トロプシュナフサを生成すること；
（ｂ）フィッシャー・トロプシュナフサまたは水素化精製済みフィッシャー・トロプシュナフサを改質して水素副生物と少なくとも約８０のリサーチ法オクタン価を有するガソリン成分とを生成すること；
（ｃ）フィッシャー・トロプシュ留出物を場合によって、水素化精製してオキシゲネートを除去して水素化精製済みフィッシャー・トロプシュ留出物を生成すること；
（ｄ）水素副生物を使用してフィッシャー・トロプシュ留出物または水素化精製済みフィッシャー・トロプシュ留出物をアップグレード化して留出燃料成分および（または）潤滑油ベース原料ブレンド用成分を生成すること
を含む前記方法。
【請求項２】
フィッシャー・トロプシュナフサが石油由来ナフサと混合されてブレンドナフサを得る；および（または）フィッシャー・トロプシュ留出物が石油由来留出物と混合されてブレンド留出物を得る、請求項１記載の方法。
【請求項３】
フィッシャー・トロプシュナフサが水素化精製に先立って少なくとも約１ｐｐｍの硫黄レベルを有するブレンドナフサを得るように石油由来ナフサと混合され、そのブレンドナフサを水素化精製してフィッシャー・トロプシュナフサからオキシゲネートを除去し且つ石油由来ナフサからオキシゲネートを除去して水素化精製済みブレンドナフサを生成し、そして水素化精製済みブレンドナフサは好ましくは改質されて水素副生物と少なくとも約１０％の芳香族炭化水素を含むガソリン成分とを生成する；および（または）フィッシャー・トロプシュ留出物が水素化精製に先立って少なくとも約１ｐｐｍの硫黄レベルを有するブレンド留出物を得るように石油由来留出物と混合され、そのブレンド留出物を水素化精製して水素化精製済みブレンド留出物を生成する；そして水素副生物を、水素化精製済みブレンド留出物をアップグレード化するのに使用して、留出燃料成分および（または）潤滑油ベース原料成分を生成する、請求項１または２に記載の方法。
【請求項４】
水素化精製が水素の初期供給によって行われる、請求項１、２または３に記載の方法。
【請求項５】
フィッシャー・トロプシュ留出物または水素化精製済みフィッシャー・トロプシュ留出物または水素化精製済みブレンド留出物のアップグレード化が水素化分解法および水素化脱漏法の少なくとも一つを使用して行われる、請求項１、２または３に記載の方法。
【請求項６】
水素副生物の少なくとも一部が、フィッシャー・トロプシュナフサおよび（または）フィッシャー・トロプシュ留出物またはブレンドナフサおよび（または）ブレンド留出物をナフサの改質または留出物のアップグレード化の前に水素化精製するために、再循環される、請求項１、２または３に記載の方法。
【請求項７】
水素化精製が、貴金属および非貴金属の少なくとも一つを含む触媒を使用して、行われる、請求項１〜６のいずれか一項に記載の方法。
【請求項８】
貴金属がＰｄ、Ｐｔおよびそれらの組合せから選ばれ、そして非貴金属がＮｉ、Ｃｏ、Ｗ、Ｍｏおよびそれらの組合せから選ばれる、請求項７記載の方法。
【請求項９】
貴金属が硫化されていない、そして（または）非貴金属が硫化されている、請求項７または８に記載の方法。
【請求項１０】
非貴金属が硫黄または含硫化学物質を使用して硫化されている、請求項９記載の方法。
【請求項１１】
硫黄は存在する場合にはプロセス中に添加され、そして含硫化学物質は存在する場合にはジメチルジスルフィドである、請求項１０記載の方法。
【請求項１２】
水素化精製の直前に、ナフサおよび（または）留出物が少なくとも約１ｐｐｍの硫黄、たとえば、少なくとも約１０ｐｐｍの硫黄、たとえば、少なくとも約３０ｐｐｍの硫黄、を含む、請求項１、２または３のいずれか一項に記載の方法。
【請求項１３】
得られるガソリン成分が少なくとも約８０の、特に少なくとも約９０の、リサーチ法オクタン価を有する、請求項１〜１２のいずれか一項に記載の方法。
【請求項１４】
得られるガソリン成分が少なくとも約１０％の芳香族炭化水素を含む、請求項１〜１３のいずれか一項に記載の方法。
【請求項１５】
ブレンドナフサおよびブレンド留出物の水素化精製が単一の水素化精製用反応器の中で行われる、請求項２または３に記載の方法。
【請求項１６】
さらに、水素化精製中に使用される触媒が十分に硫化されるようにプロセス中に初期には硫黄を添加することを含む、請求項２または３に記載の方法。
【請求項１７】
請求項１〜１６のいずれか一項の方法によって生産された少なくとも約８０のリサーチ法オクタン価を有するガソリン成分。
【請求項１８】
請求項１〜１６のいずれか一項に記載の方法によって生産された留出燃料成分。
【請求項１９】
請求項１〜１６のいずれか一項に記載の方法によって生産された潤滑油ベース原料成分。
【請求項２０】
ガソリン成分、留出燃料または潤滑油ベース供給原料成分の少なくとも一つを生産するためにフィッシャー・トロプシュナフサおよびフィッシャー・トロプシュ留出物の少なくとも一つをアップグレード化するためのプラントであって、
（ａ）炭化水素を提供するための炭化水素源；
（ｂ）炭化水素から炭化水素ガスと炭化水素コンデンセートと原油とを分離するためのセパレーター；
（ｃ）炭化水素ガスから合成ガスを生成するための、セパレーターの下流に位置した合成ガス発生器；
（ｄ）合成ガス上にフィッシャー・トロプシュ法を行わせてフィッシャー・トロプシュナフサおよびフィッシャー・トロプシュ留出物を得るための、合成ガス発生器の下流に位置したフィッシャー・トロプシュ反応器；
（ｅ）フィッシャー・トロプシュ反応器から生成されたフィッシャー・トロプシュナフサを水素化精製するための、フィッシャー・トロプシュ反応器の下流に位置したナフサ水素化精製用反応器；
（ｆ）ナフサ水素化精製用反応器から生成された水素化精製済みナフサを改質して水素副生物と少なくとも約１０％の芳香族炭化水素を含むガソリン成分とを得るための、ナフサ水素化精製用反応器の下流に位置したナフサリフォーマー；
（ｇ）フィッシャー・トロプシュ反応器から生成されたフィッシャー・トロプシュ留出物を水素化精製するための、フィッシャー・トロプシュ反応器の下流に位置した留出物水素化精製用反応器；
（ｈ）留出物水素化精製用反応器から生成された水素化精製済み留出物をアップグレード化して留出燃料および（または）潤滑油ベース供給原料成分を生成することができるように、留出物水素化精製用反応器の下流に、かつ、ナフサリフォーマーに関してはナフサリフォーマーからの水素副生物が留出物アップグレーダーへ再循環されるように、位置した留出物アップグレーダー；
（ｉ）場合によって、炭化水素コンデンセートおよび原油を蒸留して石油由来ナフサおよび石油由来留出物を得るための、セパレーターの下流に位置した蒸留反応器
を含む前記プラント。
【請求項２１】
存在する場合には、蒸留反応器は、フィッシャー・トロプシュ反応器およびナフサ水素化精製用反応器に関しては、フィッシャー・トロプシュナフサと石油由来ナフサがナフサ水素化精製用反応器に入る前に混合して少なくとも約１ｐｐｍの硫黄レベルを有するブレンドナフサを形成するように、位置している；そして（または）、存在する場合には、蒸留反応器は、フィッシャー・トロプシュ反応器および留出物水素化精製用反応器に関しては、フィッシャー・トロプシュ留出物と石油由来留出物が留出物水素化精製用反応器に入る前に混合して少なくとも約１ｐｐｍの硫黄レベルを有するブレンド留出物を形成するように、位置している、請求項２０記載のプラント。
【請求項２２】
水素化精製用反応器が、少なくとも一つの触媒、好ましくは貴金属および非貴金属の少なくとも一つを含むもの、を含有している、請求項２０または２１に記載のプラント。
【請求項２３】
貴金属および非貴金属が請求項８〜１１のいずれか一項に規定されている通りである、請求項２２記載のプラント。
【請求項２４】
さらに、ナフサ水素化精製用反応器および（または）留出物水素化精製用反応器の中に存在する触媒が十分に硫化されることを確実にするために硫黄が初期に供給されることができるように位置した硫黄源を含む、請求項２０〜２３のいずれか一項に記載のプラント。
【請求項２５】
ナフサ水素化精製用反応器と留出物水素化精製用反応器が単一の水素化精製用反応器を構成している、請求項２０〜２４のいずれか一項に記載のプラント。